(57)【要約】【課題】  光源から出射される光の出射方向の角度調整が可能である場合にも、光源からヒートパイプまでの距離を著しく短くすることが可能であって、光源からの熱をヒートパイプまで効率良く輸送することの可能な照明装置を提供する。【解決手段】  本発明の照明装置１は、ＬＥＤなどの光源２と、光源２が設置される光源設置ブロック３と、ヒートパイプ４とを備え、光源設置ブロック３は、金属部材からなり、ヒートパイプ４の一方の側Ｅに設けられている所定の曲率の所定範囲Ｄと同じ曲率で曲げられている貫通孔を有し、該貫通孔内にヒートパイプ４の所定範囲Ｄを貫通させることにより、ヒートパイプ４の所定範囲Ｄ内において、ヒートパイプ４に対して摺動可能にヒートパイプ４に接して取り付けられている。【選択図】      図３
2010097892.tif 000002
【特許請求の範囲】
【請求項１】
光源と、光源が設置される光源設置ブロックと、所定の長さを有し、内部に毛細管構造を備えて所定の液体が封入されているヒートパイプとを備えた照明装置であって、
前記ヒートパイプは、該ヒートパイプの長さ方向の一方の側の所定範囲が所定の曲率で曲げられており、
前記光源設置ブロックは、金属部材からなり、前記ヒートパイプの長さ方向の一方の側に設けられている所定の曲率の所定範囲と同じ曲率で曲げられている貫通孔を有し、該貫通孔内に前記ヒートパイプの前記所定範囲を貫通させることにより、前記ヒートパイプの前記所定範囲内において、前記ヒートパイプに対して摺動可能に前記ヒートパイプに接して取り付けられており、
前記光源設置ブロックまたは前記ヒートパイプには、前記ヒートパイプの前記所定範囲内の所定位置に前記光源設置ブロックが位置されるときに、前記ヒートパイプに対する該光源設置ブロックの該位置を保持する保持手段が設けられていることを特徴とする照明装置。
【請求項２】
請求項１記載の照明装置において、前記保持手段は、前記光源設置ブロックを前記ヒートパイプに付勢するバネ部材であることを特徴とする照明装置。
【請求項３】
請求項１記載の照明装置において、前記保持手段は、前記光源設置ブロックの前記ヒートパイプに対する密接状態と解放状態とを切り替える切替機構であることを特徴とする照明装置。
【請求項４】
請求項１乃至請求項３のいずれか一項に記載の照明装置において、前記ヒートパイプの長さ方向の他方の側には、ヒートシンクが設けられていることを特徴とする照明装置。
【請求項５】
請求項１乃至請求項４のいずれか一項に記載の照明装置において、前記ヒートパイプは、該ヒートパイプの長さ方向とは垂直の断面の外形形状が一部に左右対称な凹部形状を備えた開放型形状のものとなっており、
前記光源は、前記ヒートパイプの前記左右対称な凹部形状の外形部分の側にあって、前記左右対称な凹部形状の中央線上の前記凹部形状から所定の距離を隔てた位置に、前記光源設置ブロックを介して配置されていることを特徴とする照明装置。
【請求項６】
請求項５記載の照明装置において、前記光源は、前記ヒートパイプの前記左右対称な凹部形状の中央線が前記光源と交わる点を中心として角度９０°の範囲が前記左右対称な凹部形状を覆う位置から、前記左右対称な凹部形状の中央線上の前記ヒートパイプにより近接した位置までの間の所定の位置に配置されることを特徴とする照明装置。
【請求項７】
請求項１乃至請求項６のいずれか一項に記載の照明装置において、前記光源が複数設けられる場合に、該複数の光源は、前記ヒートパイプの長さ方向に沿って配置されるように前記光源設置ブロックに配置されることを特徴とする照明装置。
【請求項８】
請求項１乃至請求項７のいずれか一項に記載の照明装置において、前記光源は、ＬＥＤであることを特徴とする照明装置。
【発明の詳細な説明】
【技術分野】
【０００１】
本発明は、照明装置に関する。
【背景技術】
【０００２】
従来、特許文献１に示されているような照明装置が提案されている。図１，図２は特許文献１に示されている照明装置を示す図である。なお、図２は図１の部分斜視図である。図１，図２を参照すると、特許文献１の照明装置１０１は、ＬＥＤなどの光源１００と、光源１００が設置される光源設置ブロック１１０と、ヒートパイプ１３０とを備えている。
【０００３】
ここで、ヒートパイプ１３０は、金属で形成されており、所定の長さを有し、内部に毛細管構造を備えて所定の液体（例えば水や代替フロンなど）が封入されている。
【０００４】
また、光源設置ブロック１１０は、光源１００の側から互いに対向するように突出させた平面状の対向面を有する一対のアーム部材１１８，１１８と、アーム部材１１８，１１８の対向面と面接触するように挿入され、アーム部材１１８，１１８をヒンジ構造１１５によって符号Ｈの方向に回動可能に支持している支持部材１１３とにより構成されている。ここで、アーム部材１１８，１１８は、アルミニウム（Ａｌ）で形成され、支持部材１１３は、真鍮やアルミニウム（Ａｌ）で形成されている。
【０００５】
また、光源設置ブロック１１０の支持部材１１３の内部には、ヒートパイプ１３０の一方の側の先端部が挿入され支持部材１１３に接合されている。
【０００６】
また、図１において、符号１４０は支柱部材、符号１５０は固定部材、符号１４２はヒートシンク（放熱フィン）である。
【０００７】
特許文献１の照明装置１０１では、光源１００の点灯時に発生する熱は、光源設置ブロック１１０を介してヒートパイプ１３０の一方の側の先端部で吸収されてヒートパイプ１３０内の液体を気化し、ヒートパイプ１３０の一方の側の先端部で吸熱によって気化したヒートパイプ１３０内の液体は、ヒートパイプ１３０の他方の側に至り、そこで放熱され、ヒートシンク（放熱フィン）１４２を介して外部に放出される。このようにして、光源１００から生じた熱が光源１００の周辺に蓄積されることなく、光源１００の温度上昇を抑制することが可能になる。また、アーム部材１１８，１１８が支持部材１１３にヒンジ構造１１５によって符号Ｈの方向に回動可能に支持されているので、光源１００から出射される光の出射方向（一平面内における光の出射方向）を変えることができる。
【特許文献１】特開２００８−９１１３８号公報
【発明の開示】
【発明が解決しようとする課題】
【０００８】
しかしながら、上述したような従来の照明装置１０１では、光源設置ブロック１１０が、光源１００の側から互いに対向するように突出した一対のアーム部材１１８，１１８と、アーム部材１１８，１１８をヒンジ構造１１５によって回動可能に支持している支持部材１１３とにより構成されているので（すなわち、ヒンジ構造１１５を用いているため）、光源１００からヒートパイプ１３０までの距離が大きすぎて（アーム部材１１８，１１８の長さだけで３〜４ｃｍ程度を必要とし、さらに、支持部材１１３からヒートパイプ１３０までの長さも必要とするため）、熱抵抗が非常に高く、光源１００からの熱をヒートパイプ１３０まで効率良く輸送することができず、光源１００付近の温度が上昇し、光源１００を低温域の適切な温度環境下で使用するには限界があった。
【０００９】
本発明は、光源から出射される光の出射方向（光源から出射される光の照射範囲）の角度調整が可能であり、光源から出射される光の出射方向（光源から出射される光の照射範囲）の角度調整が可能である場合にも、光源からヒートパイプまでの距離を著しく短くすることが可能であって、光源からの熱をヒートパイプまで効率良く輸送することの可能な照明装置を提供することを目的としている。
【課題を解決するための手段】
【００１０】
上記目的を達成するために、請求項１記載の発明は、光源と、光源が設置される光源設置ブロックと、所定の長さを有し、内部に毛細管構造を備えて所定の液体が封入されているヒートパイプとを備えた照明装置であって、
前記ヒートパイプは、該ヒートパイプの長さ方向の一方の側の所定範囲が所定の曲率で曲げられており、
前記光源設置ブロックは、金属部材からなり、前記ヒートパイプの長さ方向の一方の側に設けられている所定の曲率の所定範囲と同じ曲率で曲げられている貫通孔を有し、該貫通孔内に前記ヒートパイプの前記所定範囲を貫通させることにより、前記ヒートパイプの前記所定範囲内において、前記ヒートパイプに対して摺動可能に前記ヒートパイプに接して取り付けられており、
前記光源設置ブロックまたは前記ヒートパイプには、前記ヒートパイプの前記所定範囲内の所定位置に前記光源設置ブロックが位置されるときに、前記ヒートパイプに対する該光源設置ブロックの該位置を保持する保持手段が設けられていることを特徴としている。
【００１１】
また、請求項２記載の発明は、請求項１記載の照明装置において、前記保持手段は、前記光源設置ブロックを前記ヒートパイプに付勢するバネ部材であることを特徴としている。
【００１２】
また、請求項３記載の発明は、請求項１記載の照明装置において、前記保持手段は、前記光源設置ブロックの前記ヒートパイプに対する密接状態と解放状態とを切り替える切替機構であることを特徴としている。
【００１３】
また、請求項４記載の発明は、請求項１乃至請求項３のいずれか一項に記載の照明装置において、前記ヒートパイプの長さ方向の他方の側には、ヒートシンクが設けられていることを特徴としている。
【００１４】
また、請求項５記載の発明は、請求項１乃至請求項４のいずれか一項に記載の照明装置において、前記ヒートパイプは、該ヒートパイプの長さ方向とは垂直の断面の外形形状が一部に左右対称な凹部形状を備えた開放型形状のものとなっており、
前記光源は、前記ヒートパイプの前記左右対称な凹部形状の外形部分の側にあって、前記左右対称な凹部形状の中央線上の前記凹部形状から所定の距離を隔てた位置に、前記光源設置ブロックを介して配置されていることを特徴としている。
【００１５】
また、請求項６記載の発明は、請求項５記載の照明装置において、前記光源は、前記ヒートパイプの前記左右対称な凹部形状の中央線が前記光源と交わる点を中心として角度９０°の範囲が前記左右対称な凹部形状を覆う位置から、前記左右対称な凹部形状の中央線上の前記ヒートパイプにより近接した位置までの間の所定の位置に配置されることを特徴としている。
【００１６】
また、請求項７記載の発明は、請求項１乃至請求項６のいずれか一項に記載の照明装置において、前記光源が複数設けられる場合に、該複数の光源は、前記ヒートパイプの長さ方向に沿って配置されるように前記光源設置ブロックに配置されることを特徴としている。
【００１７】
また、請求項８記載の発明は、請求項１乃至請求項７のいずれか一項に記載の照明装置において、前記光源は、ＬＥＤであることを特徴としている。
【発明の効果】
【００１８】
請求項１乃至請求項８記載の発明によれば、光源と、光源が設置される光源設置ブロックと、所定の長さを有し、内部に毛細管構造を備えて所定の液体が封入されているヒートパイプとを備えた照明装置であって、
前記ヒートパイプは、該ヒートパイプの長さ方向の一方の側の所定範囲が所定の曲率で曲げられており、
前記光源設置ブロックは、金属部材からなり、前記ヒートパイプの長さ方向の一方の側に設けられている所定の曲率の所定範囲と同じ曲率の貫通孔を有し、該貫通孔内に前記ヒートパイプの前記所定範囲を貫通させることにより、前記ヒートパイプの前記所定範囲内において、前記ヒートパイプに対して摺動可能に前記ヒートパイプに接して取り付けられており、
前記光源設置ブロックまたは前記ヒートパイプには、前記ヒートパイプの前記所定範囲内の所定位置に前記光源設置ブロックが位置されるときに、前記ヒートパイプに対する該光源設置ブロックの該位置を保持する保持手段が設けられているので、光源から出射される光の出射方向（光源から出射される光の照射範囲）の角度調整が可能であり、光源から出射される光の出射方向（光源から出射される光の照射範囲）の角度調整が可能である場合にも、光源からヒートパイプまでの距離を著しく短くすることが可能であって、光源からの熱をヒートパイプまで効率良く輸送することができる。
【００１９】
特に、請求項５，請求項６記載の発明によれば、前記ヒートパイプは、該ヒートパイプの長さ方向とは垂直の断面の外形形状が一部に左右対称な凹部形状を備えた開放型形状のものとなっているので、ヒートパイプを高い剛性の変形しにくいものにすることができる。また、前記光源は、前記ヒートパイプの前記左右対称な凹部形状の外形部分の側にあって、前記左右対称な凹部形状の中央線上の前記凹部形状から所定の距離を隔てた位置に、前記光源設置ブロックを介して配置されているので、高い剛性の変形しにくい断面形状のヒートパイプを用いて、ＬＥＤなどの光源（小型発熱体）に対してより効率の良い熱輸送（放熱）を行うことができる。
【発明を実施するための最良の形態】
【００２０】
以下、本発明の実施形態を図面に基づいて説明する。
【００２１】
図３は本発明の照明装置の構成例を示す図である。図３の例では、本発明の照明装置１は、ＬＥＤなどの光源２と、光源２が設置される光源設置ブロック３と、ヒートパイプ４とを備えている。
【００２２】
ここで、ヒートパイプ４は、例えば銅などの金属で形成されており、一般に図４に示すように、所定の長さＬを有し、内部４ａに毛細管構造を備えて所定の液体（例えば水や代替フロンなど）が封入されている。
【００２３】
前述した従来の照明装置１０１では、光源設置ブロック１１０が、光源１００の側から互いに対向するように突出した一対のアーム部材１１８，１１８と、アーム部材１１８，１１８をヒンジ構造によって回動可能に支持している支持部材１１３とにより構成されているが、本発明では、光源設置ブロック３は、従来の照明装置１０１の光源設置ブロック１１０のようなヒンジ構造を有しておらず、光源設置ブロック３がヒンジ構造を有していなくとも、光源から出射される光の出射方向（光源から出射される光の照射範囲）の角度調整が可能に構成されている。
【００２４】
図５，図６は、図３に示した本発明の照明装置１の分解図であり、図５はヒートパイプ４を示す図、図６は光源設置ブロック３を示す図（拡大図）である。
【００２５】
図５を参照すると、本発明では、ヒートパイプ４は、該ヒートパイプ４の長さ方向の中央部（中点）Ｐに対して一方の側Ｅの所定範囲Ｄが所定の曲率（一定の半径ｒ）、すなわち後述のように光源２の照射範囲の角度調整ができるような曲率（一定の半径ｒ）で曲げられている。
【００２６】
また、図６を参照すると、本発明では、光源設置ブロック３は、金属部材（Ａｌなど）からなり、前記ヒートパイプ４の長さ方向の中央部（中点）Ｐに対して一方の側Ｅに設けられている所定の曲率（一定の半径ｒ）の所定範囲Ｄと同じ曲率（一定の半径ｒ）で曲げられている貫通孔３ａを有し、該貫通孔３ａ内に前記ヒートパイプ４の前記所定範囲Ｄを貫通させることにより、前記ヒートパイプ４の前記所定範囲Ｄ内において、前記ヒートパイプ４に対して摺動可能に前記ヒートパイプ４に接して取り付けられている。なお、光源設置ブロック３は、ヒートパイプ４に対して摺動可能に取り付けられる場合、ヒートパイプ４への熱伝導を良好なものにするため、ヒートパイプ４との接触面積が最大となるようにヒートパイプ４に対して設けられるのが良い。具体的には、光源設置ブロック３は、ヒートパイプ４の外周に例えば密接して摺動可能に設けられるのが好ましい。
【００２７】
図７には、ヒートパイプ４に接して（例えば密接して）取り付けられている光源設置ブロック３の断面図（図３のＡ−Ａ線における断面図）が示されている。図７の例では、ヒートパイプ４は断面が円環状のものとなっており、光源設置ブロック３の貫通孔３ａは断面が円形のものとなっている。
【００２８】
また、本発明では、前記光源設置ブロック３または前記ヒートパイプ４には、前記ヒートパイプ４の前記所定範囲Ｄ内の所定位置に前記光源設置ブロック３が位置されるときに、前記ヒートパイプ４に対する該光源設置ブロック３の該位置を保持する保持手段が設けられている。
【００２９】
前記保持手段としては、例えば、前記光源設置ブロック３を前記ヒートパイプ４に付勢するバネ部材であっても良いし、前記光源設置ブロック３の前記ヒートパイプ４に対する密接状態と解放状態とを切り替える切替機構などであっても良い。
【００３０】
図７の例では、保持手段は、前記光源設置ブロック３に設けられた金属（Ａｌなど）のバネ部材７として構成され、Ｋの方向に付勢力を及ぼして、ヒートパイプ４に対する光源設置ブロック３の位置を保持するようになっている。なお、バネ部材７は、光源設置ブロック３のヒートパイプ４外周全体にわたって設けられても良いが、例えば１箇所だけに設けるとした場合には、図７の例のように光源設置ブロック３の光源２が設けられる側とは反対の側に設けられるのが良い。
【００３１】
また、図３の照明装置１では、前記ヒートパイプ４の長さ方向の中央部（中点）Ｐに対して他方の側Ｆの例えば先端部には、ヒートパイプ４からの熱を外部に放熱するためのヒートシンク５が設けられている。ここで、ヒートシンク５は、例えば、ベース板と、放熱フィンとから構成されている。
【００３２】
このような構成の本発明の照明装置１では、保持手段が図７に示すようなバネ部材７として構成されているとした場合、光源２の照射範囲の角度調整を行うときには、図８に示すように、作業者は、所定の曲率（一定の半径ｒ）で曲げられているヒートパイプ４の所定範囲Ｄ内で、バネ部材７の付勢力に抗する力で光源設置ブロック３を、矢印Ｃに示すように、所定の曲率（一定の半径ｒ）で曲げられているヒートパイプ４に沿ってヒートパイプ４の所望の位置まで摺動させる。これにより、光源２の照射範囲の角度調整を容易に行うことができる。すなわち、上記曲率（一定の半径ｒ）の中心を軸Ｚとするとき、光源設置ブロック３を軸Ｚを中心としてヒートパイプ４の所望の位置まで移動（回転）させることにより、一平面内における光源２の照射範囲の角度調整が可能となる。
【００３３】
このように、本発明では、光源設置ブロック３は、従来の照明装置１０１の光源設置ブロック１１０のようなヒンジ構造を有していなくとも、光源２から出射される光の出射方向（光源２から出射される光の照射範囲）の角度調整を容易に行うことができ、光源設置ブロック３が、従来の照明装置１０１の光源設置ブロック１１０のようなヒンジ構造を有していないことにより、光源２から出射される光の出射方向（光源２から出射される光の照射範囲）の角度調整が可能である場合にも、光源２からヒートパイプ４までの距離を著しく短くすることが可能であって（光源２からヒートパイプ４までの光源設置ブロック３の長さを短いものにすることができ）、光源２からの熱をヒートパイプ４まで効率良く輸送することが可能となる。
【００３４】
図９は、図１に示した従来の照明装置１０１の光源とヒートパイプとの間の熱抵抗の等価回路を示す図である。また、図１０は、図３に示した本発明の照明装置１の光源とヒートパイプとの間の熱抵抗の等価回路を示す図である。
【００３５】
図９において、図１に示した従来の照明装置１０１では、光源設置ブロック１１０が、光源１００の側から突出した一対のアーム部材１１８，１１８と、アーム部材１１８，１１８をヒンジ構造によって回動可能に支持している支持部材１１３とにより構成されているので、光源１００とヒートパイプ１３０との間に、アーム部材１１８による熱抵抗Ｒ１と支持部材１１３による熱抵抗Ｒ２とが直列に接続された大きな熱抵抗（Ｒ１＋Ｒ２）が存在する。
【００３６】
これに対し、図１０において、図３に示した本発明の照明装置１では、光源設置ブロック３が、ヒンジ構造を有しておらず、光源２からヒートパイプ４までの距離を著しく短くすることができるので、光源２とヒートパイプ４との間の熱抵抗Ｒ１’を、従来の照明装置１０１における光源１００とヒートパイプ１３０との間の熱抵抗（Ｒ１＋Ｒ２）に比べて著しく小さくすることができ、これにより、従来の照明装置１０１に比べて、光源２からの熱をヒートパイプ４まで効率良く輸送することが可能となる。
【００３７】
なお、上述の例では、ヒートパイプ４は断面が円環状のものとなっているとしたが、図１１、図１２に示すように、ヒートパイプ４は、断面が三角形状、四角形状など、任意の形状のものにすることができる。
【００３８】
例えば、上記形状の他にも、ヒートパイプ４の断面形状を、例えば図１３に示すようなものにすることもできる。すなわち、図１３の例では、ヒートパイプ４は、その長さ方向とは垂直の断面の外形形状が、一部に左右対称な凹部形状４ｉを備えた開放型形状のものとなっている。
【００３９】
また、図１４は、ヒートパイプ４の断面形状が例えば図１３に示すようなものになっている場合の図３のＡ−Ａ線における断面図であり、図１４を参照すると、光源２は、前記ヒートパイプ４の前記左右対称な凹部形状４ｉの外形部分の側にあって、前記左右対称な凹部形状４ｉの中央線Ｏ上の前記凹部形状４ｉから所定の距離ｘを隔てた位置に、前記光源設置ブロック３を介して配置されている。
【００４０】
より具体的に、図１５に示すように、光源２は、前記ヒートパイプ４の前記左右対称な凹部形状４ｉの曲率などに応じて、前記ヒートパイプ４の前記左右対称な凹部形状４ｉの中央線Ｏが前記光源２と交わる点を中心として角度９０°の範囲が前記左右対称な凹部形状４ｉを覆う位置ｘ１から、前記左右対称な凹部形状４ｉの中央線Ｏ上の前記ヒートパイプ４により近接した位置ｘ２，ｘ３までの間の所定の位置ｘに配置される。すなわち、好ましくは、後述のように光源２から前記ヒートパイプ４の前記左右対称な凹部形状４ｉの各点までの距離Ｒができる限り同じとなるような位置ｘに、光源２が位置決めされるのが良い。
【００４１】
なお、この例では、図１６により詳細に示すように、光源２は、光出射面２ａとは反対側の面２ｂが、前記ヒートパイプ４の前記左右対称な凹部形状４ｉの中央線Ｏと垂直となるように前記光源設置ブロック３に取り付けられている。
【００４２】
図１３のように、ヒートパイプ４の長さ方向とは垂直の断面の外形形状が一部に左右対称な凹部形状４ｉを備えた開放型形状のものとなっているときには、例えば図７に示したような円環状の断面形状に比べて、高い剛性を有し、ヒートパイプ４が銅などで形成される場合にも、変形しにくいものにすることができて、ヒートパイプ４を薄型化できる（ヒートパイプの薄型化が求められる用途にも使用できる）。また、補強部材なしでヒートパイプ４を使用できる。
【００４３】
また、図１３の構成では、ＬＥＤなどの光源２は、上記ヒートパイプ４の左右対称な凹部形状４ｉの外形部分の側にあって、左右対称な凹部形状４ｉの中央線Ｏ上の前記凹部形状４ｉから所定の距離ｘを隔てた位置に、光源設置ブロック３を介して配置されているので、ＬＥＤなどの光源（小型発熱体）に対してより一層効率の良い熱輸送（放熱）を行うことができて、ＬＥＤなどの光源２をより一層低温域の適切な温度環境下で使用することが可能になる。
【００４４】
図１７（ａ），（ｂ）は、図１３の構成と図７の構成とのＬＥＤなどの光源からヒートパイプまでの熱の伝導経路を比較するための図である。図１７（ｂ）を参照すると、図７の構成では、光源からヒートパイプの表面の各点までの距離Ｒは、中央から遠ざかるに従って大きくなり、従って、ヒートパイプの表面中央から遠ざかるに従って、光源からの熱の伝達効率が低下し、これにより、図１８（ｂ）に示すように、ヒートパイプの表面の各点における温度分布は、中央から遠ざかるに従って低下してしまう。これに対し、図１７（ａ）を参照すると、図１３の構成では、光源２からヒートパイプ４の左右対称な凹部形状４ｉの各点までの距離Ｒをほぼ同じにすることができ、光源２からヒートパイプ４の左右対称な凹部形状４ｉの各点までの距離Ｒがほぼ同じ場合には、光源２からヒートパイプ４の左右対称な凹部形状４ｉの各点まで、熱がほぼ均等に伝達され、これにより、図１８（ａ）に示すように、ヒートパイプ４の左右対称な凹部形状４ｉの各点における温度分布は、ほぼ一定のものとなり、ヒートパイプ４内の液体の温度が同じになりやすくなって、より一層効率的な熱輸送を行うことが可能になる。このように、図１３の構成では、図７の構成と比べて、ＬＥＤなどの光源に対してより一層効率の良い熱輸送（放熱）を行うことができて、ＬＥＤなどの光源をより一層低温域の適切な温度環境下で使用することができる。
【００４５】
なお、図１３の構成において、ヒートパイプ４の左右対称な凹部形状４ｉとしては、図１９（ａ），（ｂ），（ｃ）に例示するように各種の形状をとることができる。
【００４６】
また、上述の例では、光源設置ブロック３に１つの光源２が設置される場合を示したが、光源設置ブロック３に複数の光源２−１，２−２，・・・，２−ｎ（ｎ≧２）を設置することも可能である。図２０は、光源設置ブロック３に複数の光源２−１，２−２，・・・，２−ｎ（ｎ≧２）が設置された照明装置１を示す図であり、光源設置ブロック３に複数の光源２−１，２−２，・・・，２−ｎ（ｎ≧２）を設置する場合には、該複数の光源２−１，２−２，・・・，２−ｎ（ｎ≧２）は、ヒートパイプ４の長さ方向に沿って配置されるのが好ましい。これにより、各光源２−１，２−２，・・・，２−ｎ（ｎ≧２）からヒートパイプ４までの距離を最短化することができ、各光源２−１，２−２，・・・，２−ｎ（ｎ≧２）からの熱を効率よく放熱できる。
【００４７】
図３，図２０の例において、ＬＥＤなどの光源２の光出射面の側にレンズなどの光学部材をさらに設けることもできる。図２１には、ＬＥＤなどの光源２の光出射面の側にレンズ２０を設けた例が示されている。
【００４８】
また、図２２は本発明の照明装置１の一適用例を示す図であり、図２２の例では、本発明の照明装置１の一方の側Ｅの部分をショーケース１０内に設置し、ショーケース１０内の所定の展示物（例えば宝石）１１を照明するのに用いている。この場合、本発明の照明装置１を用いることで、光源２を点灯しても、ショーケース１０内の温度が高くなるのを有効に防止できる。また、本発明の照明装置１は、ショーケース内の所定の展示物（例えば宝石）の照明の他にも、例えば一般照明用灯具や車両用照明灯具などにも適用可能である。
【産業上の利用可能性】
【００４９】
本発明は、ショーケース内の所定の展示物（例えば宝石）の照明などに利用可能である。
【図面の簡単な説明】
【００５０】
【図１】特許文献１に示されている照明装置を示す図である。
【図２】図１の部分斜視図である。
【図３】本発明の照明装置の構成例を示す図である。
【図４】一般的なヒートパイプの構造を説明するための図である。
【図５】本発明の照明装置のヒートパイプを示す図である。
【図６】本発明の照明装置の光源設置ブロックを示す図である。
【図７】ヒートパイプの断面形状の一例を示す図である。
【図８】光源の照射範囲の角度調整を行うときの操作を説明するための図である。
【図９】図１に示した従来の照明装置の光源とヒートパイプとの間の熱抵抗の等価回路を示す図である。
【図１０】図３に示した本発明の照明装置の光源とヒートパイプとの間の熱抵抗の等価回路を示す図である。
【図１１】ヒートパイプの他の断面形状を示す図である。
【図１２】ヒートパイプの他の断面形状を示す図である。
【図１３】ヒートパイプの他の断面形状を示す図である。
【図１４】ヒートパイプの断面形状が例えば図１３に示すようなものになっている場合の図３のＡ−Ａ線における断面図である。
【図１５】光源のヒートパイプの左右対称な凹部形状に対する配置を説明するための図である。
【図１６】光源の光源設置ブロックへの取り付け例を示す図である。
【図１７】図１３の構成と図７の構成とのＬＥＤなどの光源からヒートパイプまでの熱の伝導経路を比較するための図である。
【図１８】図１３の構成と図７の構成とのヒートパイプ表面の温度分布を比較するための図である。
【図１９】ヒートパイプの左右対称な凹部形状の各種の例を示す図である。
【図２０】光源設置ブロックに複数の光源が設置された照明装置を示す図である。
【図２１】ＬＥＤなどの光源の光出射面の側にレンズを設けた例を示す図である。
【図２２】本発明の照明装置の適用例を示す図である。
【符号の説明】
【００５１】
１          照明装置
２          光源
３          光源設置ブロック
４          ヒートパイプ
５          ヒートシンク
７          バネ部材
１０        ショーケース
２０        レンズ
【図１】
2010097892.tif 000003
【図２】
2010097892.tif 000004
【図３】
2010097892.tif 000005
【図４】
2010097892.tif 000006
【図５】
2010097892.tif 000007
【図６】
2010097892.tif 000008
【図７】
2010097892.tif 000009
【図８】
2010097892.tif 000010
【図９】
2010097892.tif 000011
【図１０】
2010097892.tif 000012
【図１１】
2010097892.tif 000013
【図１２】
2010097892.tif 000014
【図１３】
2010097892.tif 000015
【図１４】
2010097892.tif 000016
【図１５】
2010097892.tif 000017
【図１６】
2010097892.tif 000018
【図１７】
2010097892.tif 000019
【図１８】
2010097892.tif 000020
【図１９】
2010097892.tif 000021
【図２０】
2010097892.tif 000022
【図２１】
2010097892.tif 000023
【図２２】
2010097892.tif 000024